(57)【要約】【課題】一般的な温度センサを取り付けることができ、該温度センサを蓄電素子に確実に押し当てることができる蓄電装置を提供する。【解決手段】蓄電素子（１４）と、該蓄電素子の外側に取り付けられたカバー部材（６２ａ）と、を備えた蓄電装置（１０）において、カバー部材（６２ａ）に、蓄電素子（１４）の温度を検知する温度センサ（２）を保持する保持機構（７０）を設ける。保持機構（７０）に、温度センサ（２）を蓄電素子（１４）に加圧接触させる押し付け部（７２）を設ける。【選択図】図８
2015125813.tif 000002
【特許請求の範囲】
【請求項１】
蓄電素子と、該蓄電素子の外側に取り付けられたカバー部材と、を備えた蓄電装置であって、
前記カバー部材は、前記蓄電素子の温度を検知する温度センサを保持する保持機構を備え、
該保持機構は、前記温度センサを前記蓄電素子に加圧接触させる押し付け部を備えている、ことを特徴とする蓄電装置。
【請求項２】
前記押し付け部は、前記温度センサを前記蓄電素子に押し付ける方向の弾性力が作用した状態で前記温度センサに当接する弾性部を備えている、ことを特徴とする請求項１に記載の蓄電装置。
【請求項３】
前記保持機構は、一対の前記弾性部の間に狭持することで前記温度センサを保持する、ことを特徴とする請求項２に記載の蓄電装置。
【請求項４】
前記保持機構は、前記一対の弾性部間に前記温度センサを案内するガイド部を備えている、ことを特徴とする請求項３に記載の蓄電装置。
【請求項５】
前記保持機構は、前記温度センサの一部に係合する係合部を備えている、ことを特徴とする請求項１から請求項４のいずれか１項に記載の蓄電装置。
【発明の詳細な説明】
【技術分野】
【０００１】
本発明は、蓄電素子と、該蓄電素子の外側に取り付けられたカバー部材とを備えた蓄電装置に関する。
【背景技術】
【０００２】
蓄電装置（例えば電池モジュール）には、通常、蓄電装置を構成する蓄電素子（例えば電池セル）の温度を検知するために、温度センサが取り付けられる。従来、蓄電素子用の温度センサとして、サーミスタ素子を専用のカバーで被覆したものが広く用いられる。
【０００３】
例えば、蓄電素子用の温度センサにおいて、貫通穴を備えた樹脂製カバーでサーミスタ素子が被覆されることがある。この場合、樹脂製カバーの貫通穴に挿通されたねじを蓄電素子の外部端子近傍のねじ穴にねじ込むことで、蓄電素子に温度センサが取り付けられることがある。しかしながら、この種の温度センサを用いる場合、温度センサ毎にねじ留めを行う必要があり、温度センサの取付け作業が煩雑になる問題がある。また、サーミスタ素子と蓄電素子との間に樹脂製カバーが介在することで、温度検知の応答性および測温精度が悪化してしまう。
【０００４】
また、蓄電素子用の温度センサにおいて、貫通穴を備えた金属製カバーでサーミスタ素子が被覆されることがある。この場合、金属製カバーの貫通穴及びバスバーの貫通穴を蓄電素子のボルト端子に通して、ボルト端子に金属製カバー及びバスバーを共締めすることで、蓄電素子に温度センサが取り付けられることがある。しかしながら、この種の温度センサを用いる場合、温度センサを着脱するときに、温度センサの金属製カバーと共締めされるバスバーも着脱しなければならないため、温度センサの着脱作業が煩雑になる問題がある。
【０００５】
これに対して、温度センサを簡単に着脱できるようにするために、サーミスタ素子のカバーとして、複数の弾性アーム部を備えた特殊形状の樹脂製カバーを用いる技術が知られている。この種の温度センサは、測温部が蓄電素子に当接した状態で、蓄電素子の外側の絶縁部材に設けられた専用の装着穴に装着される。具体的に、前記樹脂製カバーの弾性アーム部が弾性力によって装着穴の内周に押し当てられることで、温度センサが絶縁部材に保持される。この技術によれば、ねじ留めを行うことなくワンタッチで温度センサを蓄電装置に取り付けることができる。なお、このように特殊形状の樹脂製カバーの弾性力を利用して温度センサを取り付ける技術の一例は、例えば特許文献１に開示されている。
【０００６】
また、特許文献２には、蓄電素子の上面に設けられた凹部に温度センサを取り付ける技術が開示されている。特許文献２の技術において、前記凹部の上端開口部には、温度センサの脱落を防止するための係止部材が取り付けられる。該係止部材は、環状部と、該環状部から径方向内側に向かって斜め下方に延びる複数の爪部とを備えている。この係止部材が凹部の上端開口部に取り付けられた状態で、温度センサを凹部に向かって下方へ押し込むと、係止部材の爪部は、先端が径方向外側へ押し拡げられるように弾性変形し、これにより、温度センサを凹部に挿入することができる。温度センサ全体が係止部材の爪部よりも下方へ押し込まれると、爪部が元の形状に戻り、爪部の先端が温度センサの上端に係合される。これにより、凹部からの温度センサの脱落が爪部によって阻止される。この技術によれば、温度センサを蓄電素子に簡単に取り付けることができる。
【先行技術文献】
【特許文献】
【０００７】
【特許文献１】特開２００９−１７６６０１号公報
【特許文献２】特開２００３−１９７１６１号公報
【発明の概要】
【発明が解決しようとする課題】
【０００８】
しかしながら、特許文献１の技術も含めて、上記のように樹脂製カバーの弾性アーム部の弾性力を利用して温度センサを取り付ける技術を採用する場合、特殊形状の樹脂製カバーを有する専用の温度センサを特別に生産する必要があり、温度センサのコストが高くなる。
【０００９】
一方、特許文献２の技術では、特殊形状のカバーを備えた温度センサを用いる必要はないが、温度センサの形状および寸法によっては、蓄電素子の凹部の底面と係止部材の爪部の下端との間に温度センサを好適に保持することができない。例えば、上下方向において、凹部の底面と爪部の下端との間隔よりも温度センサの寸法が小さい場合、凹部の底面と爪部の下端との間で温度センサが上下方向にがたついてしまう。この場合、蓄電素子の被測温部に対して温度センサの測温部（下端部）を押し当てた状態を確実に維持できず、測温精度が悪くなる。
【００１０】
そこで、本発明は、一般的な温度センサを取り付けることができ、該温度センサを蓄電素子に確実に押し当てることができる蓄電装置を提供することを課題とする。
【課題を解決するための手段】
【００１１】
本発明に係る蓄電装置は、蓄電素子と、該蓄電素子の外側に取り付けられたカバー部材と、を備え、前記カバー部材は、前記蓄電素子の温度を検知する温度センサを保持する保持機構を備え、該保持機構は、前記温度センサを前記蓄電素子に加圧接触させる押し付け部を備えている、ことを特徴とする。
【００１２】
この発明によれば、温度センサを保持する保持機構が、蓄電素子の外側に取り付けられたカバー部材に設けられているため、蓄電素子に固定されるための特殊形状のカバーを備えた専用の温度センサを用いる必要がなく、一般的で安価な温度センサをカバー部材に取り付けることができる。また、保持機構の押し付け部によって、温度センサが蓄電素子に加圧接触されるため、温度センサが蓄電素子に押し当てられた状態を確実に維持することができる。したがって、蓄電素子の温度検知の応答性および精度を高めることができる。
【００１３】
上記の発明に係る蓄電装置において、前記押し付け部は、前記温度センサを前記蓄電素子に押し付ける方向の弾性力が作用した状態で前記温度センサに当接する弾性部を備えてもよい。この場合、弾性部の弾性力を利用した簡易な構成により、温度センサを蓄電素子に加圧接触させることができる。
【００１４】
上記の発明に係る蓄電装置において、前記保持機構は、一対の前記弾性部の間に狭持することで前記温度センサを保持してもよい。この場合、一対の弾性部の間に温度センサを押し込むことで、温度センサをカバー部材に簡単に取り付けることができる。
【００１５】
上記の発明に係る蓄電装置において、前記保持機構は、前記一対の弾性部間に前記温度センサを案内するガイド部を備えてもよい。この場合、温度センサをガイド部によって案内しながら一対の弾性部間に簡単に嵌め込むことができる。
【００１６】
上記の発明に係る蓄電装置において、前記保持機構は、前記温度センサの一部に係合する係合部を備えてもよい。この場合、温度センサが係合部に係合することによって、温度センサを保持機構に確実に保持させることができる。
【発明の効果】
【００１７】
本発明によれば、蓄電素子の外側に取り付けられたカバー部材に保持機構が設けられているため、一般的で安価な温度センサをカバー部材に取り付けることができる。また、保持機構の押し付け部によって、温度センサを蓄電素子に確実に押し当てることができる。
【図面の簡単な説明】
【００１８】
【図１】本発明の実施形態に係る電池モジュールを示す斜視図である。
【図２】図１に示す電池モジュールを部分的に分解して示す分解斜視図である。
【図３】図１に示す電池モジュールからバスバーフレーム、バスバーカバー及び排気パイプが取り除かれた状態を示す斜視図である。
【図４】バスバーが取り付けられたバスバーフレーム、及びバスバーカバーを示す分解斜視図である。
【図５】第１の実施形態に係る保持機構を示す斜視図である。
【図６】図５に示す保持機構の平面図である。
【図７】図６のＡ−Ａ線断面図である。
【図８】図６のＢ−Ｂ線断面図である。
【図９】第２の実施形態に係る保持機構を備えた電池モジュールを示す斜視図である。
【図１０】図９に示す保持機構を拡大して示す斜視図である。
【図１１】図１０に示す保持機構の平面図である。
【図１２】図１１のＣ−Ｃ線断面図である。
【図１３】図１１のＤ−Ｄ線断面図である。
【図１４】第３の実施形態に係る保持機構を備えた電池モジュールを示す斜視図である。
【図１５】図１４に示す保持機構及びその周辺部材を示す分解斜視図である。
【図１６】第４の実施形態に係る保持機構を備えた電池モジュールを示す斜視図である。
【図１７】第５の実施形態に係る保持機構及び温度センサを示す分解斜視図である。
【図１８】図１７に示す保持機構に温度センサが取り付けられた状態を示す斜視図である。
【発明を実施するための形態】
【００１９】
以下、添付図面を参照して本発明の実施形態を説明する。なお、発明の理解を容易にするために、添付図面において、本発明に関係ない一部の部材については図示を省略している。
【００２０】
図１に示すように、本発明の実施形態に係る蓄電装置は、蓄電素子としての電池セル１４を複数（例えば８個）接続して形成された電池モジュール１０である。電池モジュール１０は、複数組み合わされることで電池パックを構成してもよいし、単独で使用されてもよい。
【００２１】
図１〜図４を参照しながら、電池モジュール１０の構成について説明する。なお、以下の説明において、「上」、「下」及び「横」を含む用語、並びに「側面」という用語は、添付図面に示す電池モジュール１０の姿勢における方向を示すものであり、必ずしも実際の使用状態における方向と一致するものでない。
【００２２】
図２に示すように、電池モジュール１０を構成する各電池セル１４は、扁平な角形のケーシング３０と、該ケーシング３０の上面開口部を塞ぐ蓋体３２とを備える。ケーシング３０は例えば金属製である。ケーシング３０の表面は、例えば樹脂製の外装フィルム（図示せず）で全体的に覆われるようにしてもよい。蓋体３２は細長い矩形の金属板である。蓋体３２の長手方向両端部には正極端子２２ａと負極端子２２ｂが設けられている。また、蓋体３２には安全弁２４と液栓２６が設けられている。安全弁２４の上方には、安全弁２４から排出されたガスが導入される排気パイプ３６（図１参照）が取り付けられる。本実施形態において、電池セル１４は、リチウムイオン電池等の非水電解質二次電池であり、ケーシング３０及び蓋体３２の中には電極体と電解液が収容されている。
【００２３】
ただし、本発明において、電池モジュール１０を構成する電池セル１４の個数、及び、各電池セル１４の具体的構成は特に限定されるものでない。また、本発明において、蓄電素子は、リチウムイオン電池以外の二次電池、又は、キャパシタであってもよい。
【００２４】
電池セル１４は、スペーサ１６を介して厚さ方向（矢印Ｄ１方向）に積層されている。スペーサ１６は、電池セル１４を部分的に覆う例えば樹脂製のカバー部材である。隣接する電池セル１４間にスペーサ１６が介装されることによって電池セル１４のケーシング３０間がより確実に電気的に絶縁されている。また、スペーサ１６によって電池セル１４を位置決めしながら積層することができる。
【００２５】
このように積層された状態において、電池セル１４の端子２２（２２ａ，２２ｂ）は、２列に分かれて積層方向（矢印Ｄ１方向）に並べて配置される。端子２２の各列では、２つの正極端子２２ａと２つの負極端子２２ｂが交互に並べられる。
【００２６】
図３に示すように、各列において隣り合う複数の端子２２は、バスバー２８（２８ａ，２８ｂ，２８ｃ，２８ｄ，２８ｅ）を介して互いに電気的に接続される。積層方向（矢印Ｄ１方向）の両側において、最も外側に積層された電池セル１４の更に外側には、それぞれエンドプレート１８ａ，１８ｂが重ねて設けられている。エンドプレート１８ａ，１８ｂは例えば樹脂からなる。エンドプレート１８ａ，１８ｂの外側の面には金属板３８が重ねられており、これにより、エンドプレート１８ａ，１８ｂの剛性が高められている。
【００２７】
このように積層された電池セル１４、スペーサ１６、エンドプレート１８ａ，１８ｂ、及び金属板３８からなる積層体１２は、複数（例えば４本）の金属製の拘束バンド５０（５０ａ，５０ｂ，５０ｃ，５０ｄ）によって積層方向の両側から挟持されるようにして固定される。なお、金属板３８の外側に重ねられる拘束バンド５０の端部は、金属板３８と共に例えばボルト（図示せず）によってエンドプレート１８ａ，１８ｂに固定される。
【００２８】
図２に示すように、スペーサ１６は、隣接する電池セル１４間に挟まれるメインプレート部４０と、該メインプレート部４０の周縁部に設けられた複数のフランジ部４２，４４，４６ａ，４６ｂ，４８ａ，４８ｂとを備える。
【００２９】
メインプレート部４０の形状は略矩形である。図２に現れるメインプレート部４０の一方の面には、複数の補強リブ５４が設けられている。これらの補強リブ５４は、互いに上下方向に間隔を空けて、それぞれ横方向に延びるように設けられている。補強リブ５４が設けられていることによって、メインプレート部４０の剛性が高められるとともに、メインプレート部４０を挟んで隣接する電池セル１４間の断熱効果が得られる。
【００３０】
スペーサ１６のフランジ部としては、上面フランジ部４２、下面フランジ部４４、一対の上部側面フランジ部４６ａ，４６ｂ、及び、一対の下部側面フランジ部４８ａ，４８ｂが設けられている。いずれのフランジ部４２，４４，４６ａ，４６ｂ，４８ａ，４８ｂも、積層方向（矢印Ｄ１方向）に平行な面に沿って設けられている。
【００３１】
上面フランジ部４２は、メインプレート部４０の上縁部から積層方向（矢印Ｄ１方向）両側に突出するように設けられている。下面フランジ部４４は、メインプレート部４０の下縁部から積層方向（矢印Ｄ１方向）両側に突出するように設けられている。上面フランジ部４２及び下面フランジ部４４は、横方向（矢印Ｄ２方向）に延びるように細長く形成されている。
【００３２】
一方の上部側面フランジ部４６ａは、メインプレート部４０における横方向（矢印Ｄ２方向）の一方の側縁部（右側縁部）における上下方向中央部よりも上側部分から積層方向（矢印Ｄ１方向）両側に突出するように設けられている。他方の上部側面フランジ部４６ｂは、メインプレート部４０の他方の側縁部（左側縁部）における上下方向中央部よりも上側部分から積層方向（矢印Ｄ１方向）両側に突出するように設けられている。これら一対の上部側面フランジ部４６ａ，４６ｂは、横方向（矢印Ｄ２方向）の両側から電池セル１４の上側部分を挟み込むように配置されている。
【００３３】
一方の下部側面フランジ部４８ａは、メインプレート部４０における横方向（矢印Ｄ２方向）の一方の側縁部（右側縁部）における上下方向中央部よりも下側部分から積層方向（矢印Ｄ１方向）両側に突出するように設けられている。他方の下部側面フランジ部４８ｂは、メインプレート部４０の他方の側縁部（左側縁部）における上下方向中央部よりも下側部分から積層方向（矢印Ｄ１方向）両側に突出するように設けられている。これら一対の下部側面フランジ部４８ａ，４８ｂは、横方向（矢印Ｄ２方向）の両側から電池セル１４の下側部分を挟み込むように配置されている。
【００３４】
図４に示すように、バスバー２８（２８ａ，２８ｂ，２８ｃ，２８ｄ，２８ｅ）は、バスバーフレーム６０によって一体的に支持されている。バスバーフレーム６０は、全てのバスバー２８を支持した状態で、例えばエンドプレート１８ａ，１８ｂにねじ留めされることによって、図２に示す積層体１２に取り付けられる（図１参照）。これにより、全てのバスバー２８を、積層体１２に対して同時に位置決めすることができる。
【００３５】
バスバーフレーム６０は、積層体１２の上面を部分的に覆う例えば樹脂製のカバー部材である。バスバーフレーム６０は、一対のベース部６２ａ，６２ｂと、これらのベース部６２ａ，６２ｂを連結する例えば一対の連結部６６ａ，６６ｂと、を備えている。ベース部６２ａ，６２ｂは、例えば矩形のプレート状に形成されている。連結部６６ａ，６６ｂは、排気パイプ３６（図１参照）の上方を跨ぐようにアーチ状に形成されている。
【００３６】
各ベース部６２ａ，６２ｂの外側縁部には、例えば方形枠状のフレーム部６４（６４ａ，６４ｂ，６４ｃ，６４ｄ，６４ｅ）が連ねて設けられている。各バスバー２８は、フレーム部６４の内側に収容されて、該フレーム部６４に支持される。一方のベース部６２ａに連なるフレーム部６４ａ，６４ｃ，６４ｅに支持されたバスバー２８ａ，２８ｃ，２８ｅは、バスバーカバー６８ａによって上側から覆われる。他方のベース部６２ｂに連なるフレーム部６４ｂ，６４ｄに支持されたバスバー２８ｂ，２８ｄは、別のバスバーカバー６８ｂによって上側から覆われる。
【００３７】
バスバーカバー６８ａ，６８ｂは、例えば樹脂からなる絶縁部材である。バスバーカバー６８ａ，６８ｂの形状は、例えば細長い矩形のプレート状となっている。バスバーカバー６８ａ，６８ｂの長さ方向両端部には係合部６９が設けられている。これらバスバーカバー６８ａ，６８ｂの係合部６９と、フレーム部６４ａ，６４ｂ，６４ｄ，６４ｅに設けられた係合部６７とが係合することで、バスバーフレーム６０にバスバーカバー６８ａ，６８ｂが取り付けられる（図１参照）。
【００３８】
図１及び図４に示すように、電池モジュール１０は、電池セル１４の温度を検知する温度センサ２を保持する保持機構７０を備えている。以下、保持機構及びこれに関連する構成について、実施形態毎に説明する。
【００３９】
［第１の実施形態］
図１及び図４〜図８を参照しながら、第１の実施形態に係る保持機構７０について説明する。
【００４０】
図１及び図４に示すように、保持機構７０は、バスバーフレーム６０のベース部６２ａ，６２ｂに設けられている。なお、図１及び図４には、各ベース部６２ａ，６２ｂに１個の保持機構７０が設けられ、保持機構７０毎に１個の温度センサ２が保持される例が図示されているが、電池モジュール１０に設けられる保持機構７０の個数、及び、電池モジュール１０に取り付けられる温度センサ２の個数は限定されるものでない。
【００４１】
図５〜図８は、バスバーフレーム６０の一方のベース部６２ａに設けられた保持機構７０を示している。ただし、他方のベース部６２ｂに設けられた保持機構７０の構成も同様である。なお、図８には、保持機構７０に加えて、温度センサ２及びこれに取り付けられたリード線８が図示されており、図６及び図７には、温度センサ２及びリード線８が仮想線としての二点鎖線で図示されている。
【００４２】
図６〜図８に示すように、温度センサ２の外形は略直方体である。なお、温度センサ２の表面部分は例えば金属製のケースで構成されており、該ケース内にサーミスタ素子が収容されている。第１の実施形態に係る保持機構７０には、温度センサ２から上方へリード線８が延びるような向きで、温度センサ２が取り付けられる。温度センサ２の測温部６は、温度センサ２の下面に設けられている。
【００４３】
図６に示すように、平面視において、温度センサ２の外形は長方形である。温度センサ２は、第１の方向（矢印Ｅ１方向）に平行な一対の短側面３ａと、第２の方向（矢印Ｅ２方向）に平行な一対の長側面３ｂとを有する。
【００４４】
第１の方向（矢印Ｅ１方向）と第２の方向（矢印Ｅ２方向）とは、互いに垂直であり、且つ、ベース部６２ａが配置された面に平行な方向である。なお、図１及び図４には、電池セル１４の積層方向（矢印Ｄ１方向）と第２の方向（矢印Ｅ２方向）とが一致し、電池セル１４の横方向（矢印Ｄ２方向）と第１の方向（矢印Ｅ１方向）とが一致する例が図示されているが、第１及び第２の方向と、積層方向（矢印Ｄ１方向）及び横方向（矢印Ｄ２方向）との関係は、図１及び図４に図示された例に限定されるものでない。
【００４５】
各短側面３ａには、上下一対の凹部４，５が設けられている。これらの凹部４，５は、温度センサ２のケース内でサーミスタ素子を位置決めするために形成されたケース内面の突出部に対応しており、多くの温度センサに一般的に設けられるものである。
【００４６】
図７及び図８に示すように、第１の実施形態では、電池セル１４の上面１４ａの一部が、温度センサ２によって温度が検知される被測温部となっている。バスバーフレーム６０のベース部６２ａは、電池セル１４の上方に間隔を空けて、電池セル１４の上面１４ａに略平行に配置される。図５〜図８に示すように、ベース部６２ａには、電池セル１４の被測温部を露出させるための貫通穴６５が設けられている。貫通穴６５の形状は、例えば、第１の方向（矢印Ｅ１方向）に平行な長辺と、第２の方向（矢印Ｅ２方向）に平行な短辺とを有する長方形である。
【００４７】
図５〜図８に示すように、保持機構７０は、温度センサ２の測温部６を電池セル１４に加圧接触させる押し付け部７２を備えている。押し付け部７２は、測温部６を電池セル１４に押し付ける方向の弾性力が作用した状態で温度センサ２に当接する一対の弾性部７２ａ，７２ｂを備えている。
【００４８】
図５及び図８に示すように、各弾性部７２ａ，７２ｂは、ベース部６２ａにおける貫通穴６５の第１の方向（矢印Ｅ１方向）の縁部から内側に突出する基部７３ａと、該基部７３ａの先端から上方へ延びる立ち上がり部７３ｂと、該立ち上がり部７３ｂの上端から上方に膨出するように湾曲しながら第１の方向（矢印Ｅ１方向）の内側へ延びる湾曲部７３ｃと、該湾曲部７３ｃの先端から下方へ延びる当接部７３ｄと、を備えている。当接部７３ｄの下端は自由端となっている。
【００４９】
図８に示すように、一対の弾性部７２ａ，７２ｂの当接部７３ｄ同士は互いに対向配置されている。第１の方向（矢印Ｅ１方向）において、各当接部７３ｄの内側の面には、抜け止め用の係合部７４が突設されている。係合部７４は、第１の方向（矢印Ｅ１方向）の内側に向かって下側へ傾斜した傾斜面７４ａを有する。一対の当接部７３ｄ間に温度センサ２を上方から差し込むと、温度センサ２の下端部が係合部７４の傾斜面７４ａに押し当てられる。このとき、弾性部７２ａ，７２ｂは、当接部７３ｄの下端部が第１の方向（矢印Ｅ１方向）の外側へ拡がるように弾性変形する。これにより、温度センサ２の測温部６を、係合部７４よりも下方へ押し込むことができる。
【００５０】
温度センサ２が当接部７３ｄ間に上方から差し込まれるとき、温度センサ２の下側の凹部５の高さが係合部７４の高さに等しくなると、凹部５に係合部７４が嵌まり込む。これにより、温度センサ２の凹部５の内面に係合部７４が上側から係合するため、温度センサ２を保持機構７０に確実に保持させることができる。
【００５１】
一対の当接部７３ｄ間に温度センサ２が差し込まれた状態において、弾性部７２ａ，７２ｂには、温度センサ２を第１の方向（矢印Ｅ１方向）の内側および下方へ押し付ける方向の弾性力が作用する。この弾性力によって、一対の当接部７３ｄ間に温度センサ２が挟持され、これにより、保持機構７０は温度センサ２を保持できる。また、温度センサ２の測温部６は、弾性部７２ａ，７２ｂによる下方への弾性力によって加圧された状態で、電池セル１４の上面１４ａに押し当てられる。そのため、温度センサ２の測温部６が電池セル１４に押し当てられた状態を確実に維持することができる。したがって、電池セル１４の温度検知の応答性および精度を高めることができる。
【００５２】
図５〜図８に示すように、保持機構７０は、一対の弾性部７２ａ，７２ｂ間に温度センサ２を案内する一対のガイド部７６ａ，７６ｂを備えている。
【００５３】
ガイド部７６ａ，７６ｂは、ベース部６２ａにおける貫通穴６５の第２の方向（矢印Ｅ２方向）の縁部から立ち上がるガイド面部７７ａを備えている。一対のガイド面部７７ａは、互いに対向するように、且つ、第１の方向（矢印Ｅ１方向）に平行に配置されている。第２の方向（矢印Ｅ２方向）において、一対のガイド面部７７ａは、弾性部７２ａ，７２ｂの当接部７３ｄを挟んだ両側に配置されている。
【００５４】
また、ガイド部７６ａ，７６ｂは、ガイド面部７７ａにおける第１の方向（矢印Ｅ１方向）の両端部から第２の方向（矢印Ｅ２方向）の外側へ突出する一対のリブ部７７ｂ，７７ｃを備えている。リブ部７７ｂ，７７ｃは、ベース部６２ａの上面とガイド面部７７ａの外側の面とに跨がるように、例えば三角形状に形成されている。
【００５５】
一方のガイド部７６ａには、ガイド面部７７ａから第２の方向（矢印Ｅ２方向）の内側に突出する一対のサブガイド面部７７ｄ，７７ｅが設けられている。第１の方向（矢印Ｅ１方向）において、一方のサブガイド面部７７ｄは、一方の弾性部７２ｂの当接部７３ｄよりも僅かに外側に配置され、他方のサブガイド面部７７ｅは、他方の弾性部７２ａの当接部７３ｄよりも僅かに外側に配置されている。
【００５６】
第２の方向（矢印Ｅ２方向）において、一対のガイド面部７７ａ間の間隔は、温度センサ２の寸法（短側面３ａの寸法）よりも僅かに大きい。第１の方向（矢印Ｅ１方向）において、一対のサブガイド面部７７ｄ，７７ｅ間の間隔は、温度センサ２の寸法（長側面３ｂの寸法）よりも僅かに大きい。
【００５７】
温度センサ２を一対の弾性部７２ａ，７２ｂ間に嵌め込むとき、第１の方向（矢印Ｅ１方向）については一対のサブガイド面部７７ｄ，７７ｅによって、第２の方向（矢印Ｅ２方向）については一対のガイド面部７７ａによって、それぞれ位置決めすることができる。したがって、温度センサ２をガイド部７６ａ，７６ｂによって案内しながら一対の弾性部７２ａ，７２ｂ間に簡単に嵌め込むことができる。
【００５８】
以上のように構成された保持機構７０は、バスバーフレーム６０のベース部６２ａに一体に設けられている。したがって、バスバーフレーム６０が樹脂成形品である場合、低コストで簡単に保持機構７０を形成することができる。また、保持機構７０はバスバーフレーム６０に設けられているため、温度センサ２に特殊な加工を施す必要がなく、一般的で安価な温度センサを用いることができる。したがって、電池モジュール１０に複数の温度センサ２が取り付けられる場合、特に効果的にコストが低減される。
【００５９】
さらに、一対の弾性部７２ａ，７２ｂ間に温度センサ２を押し込むだけで、バスバーフレーム６０に温度センサ２を簡単に取り付けることができる。また、温度センサ２の測温部６は、加圧状態で電池セル１４に当接されるため、電池セル１４の上面高さのばらつきに対応して、電池セル１４の上面１４ａに確実に測温部６を押し当てることができる。
【００６０】
［第２の実施形態］
図９〜図１３を参照しながら、第２の実施形態に係る保持機構８０の構成について説明する。なお、第１の実施形態と同じ構成要素については、説明を省略するとともに、図９〜図１３において同じ符号を付している。
【００６１】
図９に示すように、第２の実施形態に係る保持機構８０も、第１の実施形態と同様、バスバーフレーム６０のベース部６２ａ，６２ｂに一体に設けられている。第２の実施形態において、保持機構８０は、リード線８が温度センサ２から水平に延びるような向きで温度センサ２を保持する。なお、図示された例において、保持機構８０は、ベース部６２ａ，６２ｂ毎に１個ずつ設けられているが、保持機構８０の個数は特に限定されるものでない。
【００６２】
図１０〜図１３は、バスバーフレーム６０の一方のベース部６２ａに設けられた保持機構８０を示している。ただし、他方のベース部６２ｂに設けられた保持機構８０の構成も同様である。なお、図１０には、保持機構８０に加えて、温度センサ２及びリード線８が図示されており、図１１〜図１３には、温度センサ２及びリード線８が仮想線としての二点鎖線で図示されている。
【００６３】
図１１に示すように、平面視において、温度センサ２の外形は長方形である。温度センサ２は、第１の方向（矢印Ｆ１方向）に平行な一対の短側面１０３ａ，１０３ｃと、第２の方向（矢印Ｆ２方向）に平行な一対の長側面１０３ｂとを有する。
【００６４】
第１の方向（矢印Ｆ１方向）と第２の方向（矢印Ｆ２方向）とは、互いに垂直であり、且つ、ベース部６２ａが配置された面に平行な方向である。なお、図９には、電池セル１４の積層方向（矢印Ｄ１方向）と第２の方向（矢印Ｆ２方向）とが一致し、電池セル１４の横方向（矢印Ｄ２方向）と第１の方向（矢印Ｆ１方向）とが一致する例が図示されているが、第１及び第２の方向と、積層方向（矢印Ｄ１方向）及び横方向（矢印Ｄ２方向）との関係は、図９に図示された例に限定されるものでない。
【００６５】
図１２に示すように、各長側面１０３ｂには、一対の凹部１０４，１０５が設けられている。これらの凹部１０４，１０５は、第１の実施形態における凹部４，５（図７及び図８参照）と同じものである。温度センサ２の測温部１０６は、温度センサ２の下面に設けられている。
【００６６】
特に図１１に示すように、ベース部６２ａには、電池セル１４の上面１４ａの被測温部を露出させるための貫通穴１６５が設けられている。貫通穴１６５の形状は、例えば十字状となっている。貫通穴１６５における第２の方向（矢印Ｆ２方向）の一方の縁部には延長部１６５ａが設けられている。図１２に示すように、ベース部６２ａの上面には、延長部１６５ａの先端部に隣接して傾斜面１６６が設けられている。傾斜面１６６は、延長部１６５ａに近づくに従って低くなるように形成されている。この傾斜面１６６によって、リード線８は斜め上方へ案内されて、ベース部６２ａの上側に導かれている。
【００６７】
図１０〜図１３に示すように、保持機構８０は、温度センサ２の測温部１０６を電池セル１４に加圧接触させる押し付け部８２を備えている。押し付け部８２は、測温部１０６を電池セル１４に押し付ける方向の弾性力が作用した状態で温度センサ２に当接する一対の弾性部８２ａ，８２ｂを備えている。
【００６８】
弾性部８２ａ，８２ｂの構造は、第１の実施形態における弾性部７２ａ，７２ｂと同様である。具体的に、各弾性部８２ａ，８２ｂは、ベース部６２ａにおける貫通穴１６５の第１の方向（矢印Ｆ１方向）の縁部から内側に突出する基部８３ａと、該基部８３ａの先端から上方へ延びる立ち上がり部８３ｂと、該立ち上がり部８３ｂの上端から上方に膨出するように湾曲しながら第１の方向（矢印Ｆ１方向）の内側へ延びる湾曲部８３ｃと、該湾曲部８３ｃの先端から下方へ延びる当接部８３ｄと、を備えている。当接部８３ｄの下端は自由端となっている。
【００６９】
図１３に示すように、一対の弾性部８２ａ，８２ｂの当接部８３ｄ同士は互いに対向配置されている。第１の方向（矢印Ｆ１方向）において、各当接部８３ｄの内側の面には、抜け止め用の第１係合部８４が突設されている。第１係合部８４は、第１の方向（矢印Ｆ１方向）の内側に向かって下側へ傾斜した傾斜面８４ａを有する。一対の当接部８３ｄ間に温度センサ２を上方から差し込むと、温度センサ２の下端部が第１係合部８４の傾斜面８４ａに押し当てられる。このとき、弾性部８２ａ，８２ｂは、当接部８３ｄの下端部が第１の方向（矢印Ｆ１方向）の外側へ拡がるように弾性変形する。これにより、温度センサ２の測温部１０６を、第１係合部８４よりも下方へ押し込むことができる。
【００７０】
温度センサ２が上方から当接部８３ｄ間に差し込まれるとき、温度センサ２の凹部１０５の高さが第１係合部８４の高さに等しくなると、凹部１０５に第１係合部８４が嵌まり込む。これにより、温度センサ２の凹部１０５の内面に第１係合部８４が上側から係合するため、温度センサ２を保持機構８０に確実に保持させることができる。
【００７１】
一対の当接部８３ｄ間に温度センサ２が差し込まれた状態において、弾性部８２ａ，８２ｂには、温度センサ２を第１の方向（矢印Ｆ１方向）の内側および下方へ押し付ける方向の弾性力が作用する。この弾性力によって、一対の当接部８３ｄ間に温度センサ２が挟持され、これにより、保持機構８０は温度センサ２を保持できる。また、温度センサ２の測温部１０６は、弾性部８２ａ，８２ｂによる下方への弾性力によって加圧された状態で、電池セル１４の上面１４ａに押し当てられる。そのため、温度センサ２の測温部１０６が電池セル１４に押し当てられた状態を確実に維持することができる。したがって、電池セル１４の温度検知の応答性および精度を高めることができる。
【００７２】
保持機構８０は、抜け止め用の第２係合部８９を備えている。図１２に示すように、第２係合部８９は、第２の方向（矢印Ｆ２方向）における貫通穴１６５の縁部から立ち上がる立ち上がり部８９ａと、該立ち上がり部８９ａの上端から第２の方向（矢印Ｆ２方向）の内側へ突出する爪部８９ｂと、を備えている。立ち上がり部８９ａは、温度センサ２の一方の短側面１０３ａに対向配置される。爪部８９ｂは、一対の弾性部８２ａ，８２ｂ間に挟持された温度センサ２の上面１０７に上側から係合する。これにより、より確実な温度センサ２の抜け止めを実現できる。
【００７３】
図１０及び図１１に示すように、保持機構８０は、一対の弾性部８２ａ，８２ｂ間に温度センサ２を案内する第１ガイド部８６及び第２ガイド部８７を備えている。第２の方向（矢印Ｆ２方向）において、押し付け部８２を挟んだ一方の側に第１ガイド部８６が配置され、他方の側に第２ガイド部８７が配置されている。
【００７４】
第１ガイド部８６は、ベース部６２ａにおける貫通穴１６５の第１の方向（矢印Ｆ１方向）の縁部から立ち上がる一対のガイド面部８６ａ，８６ｂを備えている。一対のガイド面部８６ａ，８６ｂは、互いに対向するように、且つ、第２の方向（矢印Ｆ２方向）に平行に配置されている。ガイド面部８６ａ，８６ｂは、第１の方向（矢印Ｆ１方向）において弾性部８２ａ，８２ｂの当接部８３ｄよりも僅かに外側に配置されている。
【００７５】
第２ガイド部８７は、ベース部６２ａにおける貫通穴１６５の第１の方向（矢印Ｆ１方向）の縁部から立ち上がる一対のガイド面部８７ａ，８７ｂを備えている。一対のガイド面部８７ａ，８７ｂは、互いに対向するように、且つ、第１ガイド部８６のガイド面部８６ａ，８６ｂと同一面上に配置されている。また、第２ガイド部８７は、ガイド面部８６ａ，８６ｂにおける第２の方向（矢印Ｆ２方向）の一端部から第１の方向（矢印Ｆ１方向）の内側に突出するサブガイド面部８８ａ，８８ｂが設けられている。第２ガイド部８７のガイド面部８６ａ，８６ｂ及びサブガイド面部８８ａ，８８ｂの高さは、一対の弾性部８２ａ，８２ｂ間に保持された温度センサ２の上面１０７の高さ以下となっている。
【００７６】
第１の方向（矢印Ｆ１方向）において、第１ガイド部８６の一対のガイド面部８６ａ，８６ｂ間の間隔、及び、第２ガイド部８７の一対のガイド面部８７ａ，８７ｂ間の間隔は、温度センサ２の寸法（短側面１０３ａ，１０３ｃの寸法）よりも僅かに大きい。第２の方向（矢印Ｆ２方向）において、第２係合部８９の立ち上がり部８９ａと、第２ガイド部８７のサブガイド面部８８ａ，８８ｂとの間隔は、温度センサ２の寸法（長側面１０３ｂの寸法）よりも僅かに大きい。
【００７７】
温度センサ２を一対の弾性部８２ａ，８２ｂ間に嵌め込むとき、第１の方向（矢印Ｆ１方向）については第１ガイド部８６及び第２ガイド部８７のガイド面部８６ａ，８６ｂ，８７ａ，８７ｂによって、第２の方向（矢印Ｆ２方向）については第２係合部８９の立ち上がり部８９ａ及び第２ガイド部８７のサブガイド面部８８ａ，８８ｂによって、それぞれ位置決めすることができる。したがって、温度センサ２を第１ガイド部８６、第２ガイド部８７及び第２係合部８９によって案内しながら一対の弾性部８２ａ，８２ｂ間に簡単に嵌め込むことができる。
【００７８】
第２の実施形態においても、保持機構８０はバスバーフレーム６０に設けられているため、一般的で安価な温度センサ２を保持機構８０に取り付けることができる。また、一対の弾性部８２ａ，８２ｂ間に温度センサ２を押し込むだけで、バスバーフレーム６０に温度センサ２を簡単に取り付けることができる。さらに、温度センサ２の測温部１０６は、加圧状態で電池セル１４に当接されるため、電池セル１４の上面高さのばらつきに対応して、電池セル１４の上面１４ａに確実に測温部１０６を押し当てることができる。
【００７９】
［第３の実施形態］
図１４及び図１５を参照しながら、第３の実施形態に係る保持機構９０について説明する。なお、第１及び第２の実施形態と同じ構成要素については、説明を省略するとともに、図１４及び図１５において同じ符号を付している。
【００８０】
図１４及び図１５に示すように、第３の実施形態に係る保持機構９０は、隣接する一対のスペーサ１６間に設けられたカバープレート９２に設けられている。なお、図１４には、１個の保持機構９０が図示されているが、電池モジュール１０に設けられる保持機構９０の個数は限定されるものでない。
【００８１】
カバープレート９２は、電池セル１４の上面を部分的覆う例えば樹脂製のカバー部材である。カバープレート９２は、一対のスペーサ１６の上面フランジ部４２間に嵌め込まれた状態で、一対のスペーサ１６に取り付けられる。ただし、カバープレート９２は、隣接する一方のスペーサ１６に一体に設けられてもよい。
【００８２】
保持機構９０はカバープレート９２に設けられるため、一般的で安価な温度センサ２を保持機構９０に取り付けることができる。保持機構９０のその他の構成は、第２の実施形態に係る保持機構８０と同様である（図１０〜図１３参照）。したがって、第２の実施形態と同様、温度センサ２の簡単な取り付けを実現できる。また、保持機構９０に取り付けられた温度センサ２の測温部は電池セル１４の上面に加圧状態で押し付けられるため、電池セル１４の上面高さのばらつきに対応して、温度センサ２の測温部を電池セル１４の上面に確実に押し当てることができる。
【００８３】
ただし、第３の実施形態において、保持機構９０の構成は、第１の実施形態に係る保持機構７０と同様にしてもよく、この場合、第１の実施形態と同様の効果を得ることができる。
【００８４】
［第４の実施形態］
図１６を参照しながら、第４の実施形態に係る保持機構１００について説明する。なお、第１及び第２の実施形態と同じ構成要素については、説明を省略するとともに、図１６において同じ符号を付している。
【００８５】
図１６に示すように、第４の実施形態に係る保持機構１００は、電池セル１４の側面に対向配置されたカバープレート１０２に設けられている。なお、図１６には、１個の保持機構１００が図示されているが、電池モジュール１０に設けられる保持機構１００の個数は限定されるものでない。
【００８６】
カバープレート１０２は、電池セル１４の側面を部分的に覆う例えば樹脂製のカバー部材である。カバープレート１０２は、隣接する一対のスペーサ１６のメインプレート部４０における側縁部間に嵌め込まれた状態で、一対のスペーサ１６に取り付けられる。ただし、カバープレート１０２は、隣接する一方のスペーサ１６に一体に設けられてもよい。
【００８７】
保持機構１００はカバープレート１０２に設けられるため、一般的で安価な温度センサを保持機構１００に取り付けることができる。カバープレート１０２は電池セル１４の側面に対向配置されるため、保持機構１００に取り付けられた温度センサ２の測温部は、電池セル１４の側面に押し当てられる。保持機構１００のその他の構成は、第２の実施形態に係る保持機構８０と同様である（図１０〜図１３参照）。したがって、第２の実施形態と同様、温度センサ２の簡単な取り付けを実現できる。また、保持機構１００に取り付けられた温度センサ２の測温部は電池セル１４の側面に加圧状態で押し付けられるため、横方向（矢印Ｄ２方向）における電池セル１４の側面の位置のばらつきに対応して、温度センサ２の測温部を電池セル１４の側面に確実に押し当てることができる。
【００８８】
ただし、第４の実施形態において、保持機構１００の構成は、第１の実施形態に係る保持機構７０と同様にしてもよく、この場合、第１の実施形態と同様の効果を得ることができる。
【００８９】
［第５の実施形態］
図１７を参照しながら、第５の実施形態に係る保持機構１１０について説明する。なお、第５の実施形態では、保持機構１１０がバスバーフレーム６０の一方のベース部６２ａに設けられる場合について説明するが、保持機構１１０は、バスバーフレーム６０の他方のベース部６２ｂ、又は、第３又は第４の実施形態のようにスペーサ１６に取り付けられるか若しくは一体に設けられるカバープレート９２，１０２に設けられてもよい。
【００９０】
図１７に示すように、第５の実施形態で用いられる温度センサ２０２は、例えば矩形のプレート部２０２ａと、該プレート部２０２ａから下方に突出する例えば直方体の本体部２０２ｂと、を備えている。プレート部２０２ａの短辺は第１の方向（矢印Ｇ１方向）に平行に配置され、プレート部２０２ａの長辺は第２の方向（矢印Ｇ２方向）に平行に配置されている。
【００９１】
第１の方向（矢印Ｇ１方向）と第２の方向（矢印Ｇ２方向）とは、互いに垂直であり、且つ、ベース部６２ａが配置された面に平行な方向である。なお、第１及び第２の方向と、電池セル１４の積層方向（矢印Ｄ１方向）及び横方向（矢印Ｄ２方向）との関係は、特に限定されるものでない。
【００９２】
プレート部２０２ａは、本体部２０２ｂよりも第１の方向（矢印Ｇ１方向）の両側に突出している。これにより、プレート部２０２ａには、本体部２０２ｂの上端から第１の方向（矢印Ｇ１方向）に突出した一対の突片２０３ａ，２０３ｂが形成されている。温度センサ２０２の測温部２０４は、温度センサ２０２の下面に設けられている。
【００９３】
以上のような温度センサの構造は、一般的に知られた構造であり、本実施形態を適用するための特殊な構造ではない。
【００９４】
保持機構１１０に対して、温度センサ２０２は、本体部２０２ｂから側方にリード線２０８が延びる向きで取り付けられる。
【００９５】
保持機構１１０は、温度センサ２０２の測温部２０４を電池セル１４に加圧接触させる押し付け部としての弾性部１１８を備えている。弾性部１１８は、第２の方向（矢印Ｇ２方向）において、ベース部６２ａに設けられた貫通穴２６５の縁部から貫通穴２６５の内側に向かって延びる舌部１２０を備えている。舌部１２０の先端は自由端となっている。ベース部６２には、舌部１２０を含む部分において第２の方向（矢印Ｇ２方向）に延びるスロット１２１が形成されている。
【００９６】
舌部１２０には、第１の方向（矢印Ｇ１方向）においてスロット１２１を挟んだ両側に配置された一対のガイドフレーム部１２０ａ，１２０ｂと、ガイドフレーム部１２０ａ，１２０ｂの先端同士を繋ぐ連結フレーム部１２０ｃとが形成されている。ガイドフレーム部１２０ａ，１２０ｂは第２の方向（矢印Ｇ２方向）に延びるように配置され、連結フレーム部１２０ｃは第１の方向（矢印Ｇ１方向）に延びるように配置されている。
【００９７】
ガイドフレーム部１２０ａ，１２０ｂは、第１の方向（矢印Ｇ１方向）に対向する貫通穴２６５の縁部に、連結部１２２ａ，１２２ｂを介して連結されている。連結部１２２ａ，１２２ｂは、上方に膨出するように湾曲したアーチ状に形成されている。これにより、舌部１２０は、一対の連結部１２２ａ，１２２ｂによって支持されている。
【００９８】
また、弾性部１１８はクリップ部１２４を備えている。クリップ部１２４は、舌部１２０の先端に設けられた連結フレーム部１２０ｃから立ち上がる立ち上がり部１２４ａと、該立ち上がり部１２４ａの上端から舌部１２０の基端側へ第２の方向（矢印Ｇ２方向）に延びる押さえ部１２４ｂと、を備えている。押さえ部１２４ｂは、ベース部６２ａに略平行に配置され、押さえ部１２４ｂの先端は自由端となっている。上下方向において、舌部１２０のガイドフレーム部１２０ａ，１２０ｂの上面と押さえ部１２４ｂの下面との間隔は、温度センサ２０２のプレート部２０２ａの厚みよりも僅かに小さい。
【００９９】
保持機構１１０に温度センサ２０２を取り付けるときは、ベース部６２ａのスロット１２１に温度センサ２０２の本体部２０２ｂを上方から差し込んだ後、温度センサ２０２の一対の突片２０３ａ，２０３ｂを舌部１２０のガイドフレーム部１２０ａ，１２０ｂの上面に押し当てながら、温度センサ２０２を第２の方向（矢印Ｇ２方向）にスライドさせて、クリップ部１２４の押さえ部１２４ｂと舌部１２０との間に温度センサ２０２のプレート部２０２ａを差し込む。このとき、押さえ部１２４ｂの先端を舌部１２０に対して相対的に上方へ押し拡げながら、舌部１２０と押さえ部１２４ｂとの間に温度センサ２０２のプレート部２０２ａを差し込む。以上のように、ねじ留めを行うことなく、簡単に温度センサ２０２を保持機構１１０に取り付けることができる。
【０１００】
図１８に示すように、温度センサ２０２は、クリップ部１２４と舌部１２０とによって挟持されることで、保持機構１１１に保持される。この保持状態において、クリップ部１２４には、温度センサ２０２を下方へ押し付ける方向の弾性力が作用する。この弾性力によって、温度センサ２０２の測温部２０４は、ベース部６２ａの下方に配置された電池セル１４に加圧状態で押し付けられる。したがって、第５の実施形態においても、電池セル１４の被測温部の位置のばらつきに対応して、温度センサ２の測温部２０４を電池セル１４に確実に押し当てることができる。
【０１０１】
また、図１８に示す保持状態において、クリップ部１２４の押さえ部１２４ｂは、温度センサ２０２の上面に上側から係合する抜け止め用の係合部として機能する。したがって、保持機構１１０から温度センサ２０２が容易に脱落することを防止できる。
【０１０２】
以上の実施形態を挙げて本発明を説明したが、本発明は以上の実施形態に限定されるものではない。
【０１０３】
例えば、本発明において、保持機構の弾性部およびガイド部の形状は、上述の実施形態で説明した形状に限られるものでなく、本発明の範囲内で適宜変更である。
【０１０４】
また、上述の実施形態では、直方体の温度センサを保持する保持機構について説明したが、本発明は、直方体以外の形状を有する温度センサが用いられる場合にも適用可能である。この場合、温度センサの形状に合わせて、保持機構の構造を適宜変更すればよい。
【０１０５】
さらに、上述の実施形態では、バスバーフレーム又はカバープレートに保持機構を設ける場合について説明したが、本発明において、保持機構は、蓄電素子の外側に取り付けられるバスバーフレーム又はカバープレート以外のカバー部材に設けられてもよい。
【０１０６】
またさらに、上述の実施形態において、保持機構の抜け止め用の係合部は、温度センサの凹部又は温度センサの外側の面に係合されるが、本発明において、抜け止め用の係合部は、温度センサに設けられた突出部に係合可能な凹部で構成されてもよい。
【０１０７】
また、本発明は、複数の蓄電素子を備えた蓄電装置に限られず、蓄電素子を１つのみ備えた蓄電装置にも適用することができる。
【符号の説明】
【０１０８】
２，２０２      温度センサ
１０            電池モジュール（蓄電装置）
１２            積層体
１４            電池セル（蓄電素子）
１６            スペーサ
１８ａ，１８ｂ  エンドプレート
２２ａ          電池セルの正極端子
２２ｂ          電池セルの負極端子
２８            バスバー
６０            バスバーフレーム
６２ａ，６２ｂ  バスバーフレームのベース部（カバー部材）
７０，８０，９０，１００，１１０  保持機構
７２，８２      押し付け部
７２ａ，７２ｂ  弾性部
７４            係合部
７６ａ，７６ｂ  ガイド部
８２ａ，８２ｂ  弾性部
８４            第１係合部
８６            第１ガイド部
８７            第２ガイド部
８９            第２係合部
９２，１０２    カバープレート（カバー部材）
１１８          弾性部（押し付け部）
１２４ｂ        押さえ部（係合部）
【図１】
2015125813.tif 000003
【図２】
2015125813.tif 000004
【図３】
2015125813.tif 000005
【図４】
2015125813.tif 000006
【図５】
2015125813.tif 000007
【図６】
2015125813.tif 000008
【図７】
2015125813.tif 000009
【図８】
2015125813.tif 000010
【図９】
2015125813.tif 000011
【図１０】
2015125813.tif 000012
【図１１】
2015125813.tif 000013
【図１２】
2015125813.tif 000014
【図１３】
2015125813.tif 000015
【図１４】
2015125813.tif 000016
【図１５】
2015125813.tif 000017
【図１６】
2015125813.tif 000018
【図１７】
2015125813.tif 000019
【図１８】
2015125813.tif 000020